(57)【要約】【課題】キッチンカウンターに設けられた米投入口から米の補充を簡単に行うことができるとともに、キッチンキャビネットの前面から米を容易に取出せる米収納装置を提供する。【解決手段】キッチンカウンターＫの端部に開口し開閉自在とされた米投入口２と、該米投入口２の下方のキッチンキャビネット内に配設され、上記米投入口２に連通する米落下部１３と米の取出し口１１とが設けられた米びつ１とからなる米収納装置であって、上記米投入口２の周縁にカウンタートップ３から隆起する隆起部２１を設けて水の浸入を防ぐとともに、上記米びつ１の前面には一定量の米を取出すことのできる取出し口１１が設けられた米収納装置。【選択図】図１
2007236658.tif 000002
【特許請求の範囲】
【請求項１】
キッチンカウンターの端部に開口し開閉自在とされた米投入口と、該米投入口の下方のキッチンキャビネット内に配設され、上記米投入口に連通する米落下部と米の取出し口とが設けられた米びつとからなる米収納装置であって、上記米投入口の周縁にカウンタートップから隆起する隆起部を設けて水の浸入を防ぐとともに、上記米びつの前面には一定量の米を取出すことのできる取出し口が設けられた米収納装置。
【請求項２】
上記米びつがキッチンカウンター裏面におけるシンクとキャビネット側板との間に内設された請求項１に記載の米収納装置。
【請求項３】
上記米投入口が着脱自在に嵌合する蓋体によって開閉自在とされた請求項１に記載の米収納装置。
【請求項４】
上記米びつが出し入れ自在の引出し体とされた請求項１に記載の米収納装置。
【発明の詳細な説明】
【技術分野】
【０００１】
本発明は、米収納装置に関する。さらに詳しくは、キッチンキャビネットに内設される米収納装置に関する。
【背景技術】
【０００２】
従来から内部に米の収納部を備えたキッチンキャビネットは公知であり、例えば下記特許文献１に記載の技術が知られている。下記特許文献１には、その図１、図２に示されているように、細幅の引出しを厨房家具用のキャビネットの端部に設け、上記引出しに薄型の米びつ本体を内設した厨房家具用キャビネットが開示されている。下記特許文献１の図１、図２に示されているように、上記引出しは出し入れ自在とされ、その前面板に、米びつ本体の計量機構部を操作するための操作釦を設けるとともに、この計量機構部から落下した米を受けるトレイも出し入れ可能に設けられている。
【特許文献１】特開２００４−２４２７７８号公報（第１〜４頁、第１図、第２図）
【発明の開示】
【発明が解決しようとする課題】
【０００３】
上記特許文献１に記載の厨房家具用キャビネットにおいて、引出しは、通常、キャビネット内に納められ、米を取り出す際は、引出しの前面板に設けられた操作釦を押せば、傾斜案内板を滑り落ちて計量機構部に投入された一定容積の米が、この計量機構部から落下排出され、トレイで受けるようになっている。また、上記米びつの米が残り少なくなったときは、引出しを手前に引き、現れた投入口に米を投入して補充する。しかしながら、米を補充する度に上記引出しを出し入れする必要があり、煩わしいという問題がある。
【０００４】
本発明は、このような問題を解決して、キッチンカウンターに設けられた米投入口から米の補充を簡単に行うことができるとともに、米をキッチンキャビネットの前面から容易に取出すことのできる米収納装置を提供することを、その課題とする。
【課題を解決するための手段】
【０００５】
上記課題を解決するために、本発明においては、つぎのような技術的手段を講じている。すなわち、請求項１に記載の発明によれば、キッチンカウンターの端部に開口し開閉自在とされた米投入口と、該米投入口の下方のキッチンキャビネット内に配設され、上記米投入口に連通する米落下部と米の取出し口とが設けられた米びつとからなる米収納装置であって、上記米投入口の周縁にカウンタートップから隆起する隆起部を設けて水の浸入を防ぐとともに、上記米びつの前面には一定量の米を取出すことのできる取出し口が設けられた米収納装置が提供される。
【０００６】
請求項２に記載の米収納装置は、請求項１に記載の発明に加えて、上記米びつがキッチンカウンター裏面におけるシンクとキャビネット側板との間に内設されることが好ましい。
【０００７】
請求項３に記載の米収納装置は、請求項１に記載の発明に加えて、上記米投入口が着脱自在に嵌合する蓋体によって開閉自在とすることが好ましい。
【０００８】
請求項４に記載の米収納装置は、請求項１に記載の発明に加えて、上記米びつを出し入れ自在の引出し体とすることが好ましい。
【発明の効果】
【０００９】
請求項１に記載の発明にかかる米収納装置は上記のとおりであり、カウンタートップに設けられた米投入口と、その下方のキッチンキャビネット内に配設され、上記米投入口に連通する米落下部と米の取出し口とを備えた米びつとからなり、該米びつがキッチンキャビネットの端部に内設され、上記米投入口の周縁にはカウンタートップから隆起する隆起部が設けられているため、シンクからの水の浸入を防ぐことが可能となるとともに、上記米びつの前面に設けられた取出し口から一定量の米を容易に取出すことができる。
【００１０】
請求項２に記載の米収納装置は上記のとおりであり、請求項１の米収納装置の有する効果に加え、上記米びつがキッチンカウンター裏面におけるシンクとキャビネット側板との間に内設されるため、キッチンキャビネットの端部のデッドスペースを有効に利用できる。
【００１１】
請求項３に記載の米収納装置は上記のとおりであり、請求項１の米収納装置の有する効果に加え、上記米投入口が着脱自在に嵌合する蓋体によって開閉自在とされているため、米びつに米を補充するときは上記蓋体を取り外して米を投入し、米投入後は蓋体を嵌合することにより、米投入口を容易に開閉自在とすることができる。
【００１２】
請求項４に記載の米収納装置は上記のとおりであり、請求項１の米収納装置の有する効果に加え、上記米びつが出し入れ自在の引出し体とされているため、長期間米びつを使用し続けた場合等、米びつを引出して米びつの内部の掃除やメンテナンスを容易に行うことができる。
【発明を実施するための最良の形態】
【００１３】
以下、本発明の実施形態について図面を参照して詳細に説明する。図１は本発明にかかる米収納装置を示す外観斜視図であり、米びつ１が引出し体としてキッチンカウンターＫの下方に設けられたキッチンキャビネットに出し入れ自在に設けられた形態を示す。図１において、上記米びつ１はカウンタートップ３に開口する米投入口２の下方に配設され、キッチンキャビネットを構成する側板５とシンク６との間に内設されている。上記米びつ１の前面には一定量の米を取出すことのできる取出し口１１が設けられ、操作ボタン１２を押すことにより、図示しない計量機構部によって計量された一定量、例えば１カップ分の米を取り出せる構造となっている。なお、符号７は、後記するキッチン小物収納用引出し体を示す。
【００１４】
図１に示すように、米投入口２の周縁にはカウンタートップから隆起する隆起部２１を設けて水返しとされている。すなわち、米の補充をする際等、米投入口２がオープンとなったとき、シンク６からの水を返し、米投入口２へ水が浸入することを防ぐ。図１は米投入口２を開いて米を投入するときの状態を示し、米を投入した後は、矢印で示すように、蓋体４を嵌合して米投入口２を閉じる。この蓋体４は、蓋本体４１と把手部４２とからなり、蓋本体４１は上記米投入口２に内嵌し、しっかりと米投入口２を閉止する。また、米を投入する際は、把手部４２を引き上げて米投入口２を開くのである。
【００１５】
図２は、図１において蓋体４を米投入口２に嵌合し、米投入口２を閉じた状態におけるＸ−Ｘ線に沿う断面図を示す。図３は上記米収納装置において米びつ１を引出した状態を示す。図２、図３に示すように、通常、キッチンキャビネット内に納められる米びつ１の上面には米投入口２と連通する米落下部１３が設けられ、米投入口２に投入された米はこの米落下部１３を通って米びつ１に収納される。また、米びつ１を引出し、上記米落下部１３を通して手を入れ、米びつ１の掃除等を容易に行うことができる。
【００１６】
上記米びつ１の下方の空間は種々の用途に利用可能であり、例えば、図１、図２、図３に示すようにキッチン小物収納用引出し体７を設けることも可能である。また、取出し口１１から米を取り出す機構は、機械式、電動式等とくに限定されず、操作ボタン１２の１回の操作で排出される米の量を最小単位に設定し、多量の米を必要とするときは所要回数だけ操作ボタン１２を押せばよい。このように、本発明は種々設計変更可能であり、特許請求の範囲を逸脱しない限り本発明の技術的範囲に含まれる。
【図面の簡単な説明】
【００１７】
【図１】本発明にかかる米収納装置を示す外観斜視図である。
【図２】図１において蓋体を米投入口に嵌合し、米投入口を閉じた状態におけるＸ−Ｘ線に沿う断面図である。
【図３】本発明にかかる米収納装置において米びつを引出した状態を示す外観斜視図である。
【符号の説明】
【００１８】
Ｋ          キッチンカウンター
１          米びつ
１１        取出し口
１２        操作ボタン
１３        米落下部
２          米投入口
２１        隆起部
３          カウンタートップ
４          蓋体
４１        蓋本体
４２        把手部
５          側板
６          シンク
７          キッチン小物収納用引出し体
【図１】
2007236658.tif 000003
【図２】
2007236658.tif 000004
【図３】
2007236658.tif 000005